(57)【要約】【課題】棚板の取り外しが容易で且つ上下方向における棚板の設置位置を自由に変更でき、加えて、陳列面の傾斜を何段階に変えることのできるスライドピン付き棚板及びこれを用いた物品陳列什器を提供すること。【解決手段】物品が載せられる横長の棚板本体１と、長手方向に差渡し状で且つ端棒部２２の軸心を中心に回転自在に設置される脚部材２と、棚板本体１の裏面の長手方向の少なくとも一端部において長手方向にスライド自在に支持されるピン８と、を有し、ピン８は、長手方向における外側にバネ力により押されて設置される棚板。【選択図】図３
0003204977.tif 000002
【実用新案登録請求の範囲】
【請求項１】
物品が載せられる横長の棚板本体と、
長手方向に延びる横棒部と、係止部に回転自在に支持される長手方向に延びる端棒部と、該横棒部と該端棒部とを連結する連結部を有し、該棚板本体の裏面において長手方向に差渡し状で且つ該端棒部の軸心を中心に回転自在に設置される脚部材と、
該棚板本体の裏面の長手方向の少なくとも一端部において長手方向にスライド自在に支持されるピンと、を有し、該ピンは、長手方向における外側にバネ力により押されて設置されていることを特徴とする棚板。
【請求項２】
該棚板本体の裏面の長手方向の一端部において長手方向にスライド自在に支持されるピンを有し、該棚板本体の裏面から下方に延びる該棚板本体の端から第１支持体、第２支持体及び第３支持体がそれぞれ所定の間隔で配設されており、第１支持体、第２支持体及び第３支持体の対応する位置には、それぞれ該ピンがスライド自在に通る貫通孔が形成されていることを特徴とする請求項１記載の棚板。
【請求項３】
該ピンは、棒状のピン本体部とピン本体部の長さ方向の途中のストッパーである突起とを有し、該突起は、該第２支持体と該第３支持体間に位置し、該第３支持体と該突起間にバネ部材を介在させることを特徴とする請求項２記載の棚板。
【請求項４】
該ピンは、該第１支持体から外側に長さ（Ｌ）、突出していることを特徴とする請求項２又は３記載の棚板。
【請求項５】
該突起は、該第２支持体に当接する第１突起と該第１突起から長手方向の内側に長さ（Ｌ）離れた第２突起とを有することを特徴とする請求項４記載の棚板。
【請求項６】
該脚部材は、該棚板本体の裏面において固定される、長手方向の内側が開口の鞘管に挿通されていることを特徴とする請求項１記載の棚板。
【請求項７】
該鞘管は、第１支持体又は第２支持体に固定されていることを特徴とする請求項６記載の棚板。
【請求項８】
請求項１〜７のいずれか１項に記載の棚板を有することを特徴とする物品陳列什器。
【請求項９】
該棚板を支持する左右１対の後ろ支柱と側支柱を有することを特徴とする請求項８記載の物品陳列什器。
【請求項１０】
該側支柱には、該ピン部材の先端が嵌る上下方向に所定のピッチで多数の係止孔が形成されていることを特徴とする請求項９記載の物品陳列什器。
【請求項１１】
該後ろ支柱には、該横棒部が係止する上下方向に所定のピッチで多数の係止突起が形成されていることを特徴とする請求項９又は１０に記載の物品陳列什器。 
【考案の詳細な説明】
【技術分野】
【０００１】
本考案は、スーパー或いは量販店で使用される物品陳列用のスライドピン付き棚板及び物品陳列什器に関するものである。
【背景技術】
【０００２】
スーパー或いは量販店では、多種多様の物品陳列什器が使用されている。典型的には、支柱間に差し渡し状で設置される棚板を多段にしたものが多い。また、陳列の演出を高めるために、棚板の陳列面を前方下り傾斜で設置したものも周知である。
【０００３】
陳列面を前方下り傾斜で設置される棚板としては、物品が載せられる横長の棚板本体と、長手方向に延びる横棒部と、係止部に回転自在に支持される長手方向に延びる端棒部と、該横棒部と該端棒部とを連結する連結部を有し、該棚板本体の裏面において長手方向に差渡し状で且つ該端棒部の軸心を中心に回転自在に設置される脚部材とを有する棚板が知られている。この棚板は、左右１対の支柱間に差渡し状で設置される。
【考案の概要】
【考案が解決しようとする課題】
【０００４】
しかしながら、従来の陳列面傾斜可変型の物品陳列什器は、棚板が、支柱に対して回転自在に軸支されており、支柱からは容易に着脱できないという問題がある。その理由としては、棚板には物品を支持する強度が要求されるため、ある程度の重量が求められる。また、回転自在の軸支構造に加えて、取り外し自在とすると、軸や軸係止孔に繰り返しの力が作用し、破損に至る恐れが生じるためである。一方、近年、陳列の演出を高めるため、陳列面の傾斜角度を何段階かに変えたい場合がある。また、模様替えを行う際、上下方向における棚板の設置位置を変えたい場合がある。そこで、棚板の取り外しが容易で且つ上下方向における棚板の設置位置を自由に変更でき、加えて、陳列面の傾斜を何段階に変えることのできる棚板及びこれを用いた物品陳列什器の開発が望まれていた。
【０００５】
すなわち、本考案の目的は、棚板の取り外しが容易で且つ上下方向における棚板の設置位置を自由に変更でき、加えて、陳列面の傾斜を何段階に変えることのできるスライドピン付き棚板及びこれを用いた物品陳列什器を提供することである。
【０００６】
かかる実情において、本考案者は鋭意検討を行った結果、支柱の係止孔に軸を差し込みで支持するバネ付きピンを有する陳列面傾斜可変型の物品陳列什器とすれば、上記従来の課題を解決できることを見出し、本考案を完成するに至った。
【課題を解決するための手段】
【０００７】
すなわち、本考案は、物品が載せられる横長の棚板本体と、長手方向に延びる横棒部と、係止部に回転自在に支持される長手方向に延びる端棒部と、該横棒部と該端棒部とを連結する連結部を有し、該棚板本体の裏面において長手方向に差渡し状で且つ該端棒部の軸心を中心に回転自在に設置される脚部材と、該棚板本体の裏面の長手方向の少なくとも一端部において長手方向にスライド自在に支持されるピンと、を有し、該ピンは、長手方向における外側にバネ力により押されて設置されていることを特徴とする棚板を提供するものである。
【０００８】
また、本考案は、該棚板本体の裏面の長手方向の一端部において長手方向にスライド自在に支持されるピンを有し、該棚板本体の裏面から下方に延びる該棚板本体の端から第１支持体、第２支持体及び第３支持体がそれぞれ所定の間隔で配設されており、第１支持体、第２支持体及び第３支持体の対応する位置には、それぞれ該ピンがスライド自在に通る貫通孔が形成されている前記棚板を提供するものである。
【０００９】
また、本考案は、該ピンは、棒状のピン本体部とピン本体部の長さ方向の途中のストッパーである突起とを有し、該突起は、該第２支持体と該第３支持体間に位置し、該第３支持体と該突起間にバネ部材を介在させることを特徴とする前記棚板を提供するものである。
【００１０】
また、本考案は、該ピンは、該第１支持体から外側に長さ（Ｌ）、突出していることを特徴とする前記棚板を提供するものである。
【００１１】
また、本考案は、該突起は、該第２支持体に当接する第１突起と該第１突起から長手方向の内側に長さ（Ｌ）離れた第２突起とを有することを特徴とする前記棚板を提供するものである。
【００１２】
また、本考案は、該脚部材は、該棚板本体の裏面において固定される、長手方向の内側が開口の鞘管に挿通されていることを特徴とする前記棚板を提供するものである。
【００１３】
また、本考案は、該鞘管は、第１支持体又は第２支持体に固定されていることを特徴とする前記棚板を提供するものである。
【００１４】
また、本考案は、前記棚板を有することを特徴とする物品陳列什器を提供するものである。
【００１５】
また、本考案は、該棚板を支持する左右１対の後ろ支柱と側支柱を有することを特徴とする前記物品陳列什器を提供するものである。
【００１６】
また、本考案は、該側支柱には、該ピン部材の先端が嵌る上下方向に所定のピッチで多数の係止孔が形成されていることを特徴とする前記物品陳列什器を提供するものである。
【００１７】
また、本考案は、該後ろ支柱には、該横棒部が係止する上下方向に所定のピッチで多数の係止突起が形成されていることを特徴とする前記物品陳列什器を提供するものである。
【考案の効果】
【００１８】
本考案によれば、棚板の取り外しが容易で且つ上下方向における棚板の陳列面位置を自由に変更でき、加えて、陳列面の傾斜を何段階に変えることのできる棚板及びこれを用いた物品陳列什器を提供できる。
【図面の簡単な説明】
【００１９】
【図１】本考案の第１の実施の形態における棚板の斜視図である。
【図２】図１の棚板の裏面から見た斜視図である。
【図３】図１の棚板の裏面から見た一端部の拡大斜視図である。
【図４】図１の棚板の裏面から見た他端部の拡大斜視図である。
【図５】本考案の実施の形態における物品陳列什器の斜視図である。
【図６】図５の物品陳列什器の分解斜視図である。
【図７】図５の物品陳列什器における支柱枠と棚板の関係図である。
【図８】支柱枠に棚板を取り付ける方法を説明する図である。
【図９】支柱枠に棚板を取り付ける方法を説明する他の図である。
【図１０】支柱枠に棚板を取り付ける方法を説明する他の図である。
【図１１】支柱枠に棚板を取り付ける方法を説明する他の図である。
【図１２】支柱枠に棚板を取り付ける方法を説明する他の図である。
【図１３】本考案の実施の形態における物品陳列什器の他の斜視図である。
【図１４】（Ａ）は支持枠に棚板を取り付ける途中の図であり、（Ｂ）は支持枠に棚板を取り付けた後の図である。
【図１５】本考案の第２の実施の形態における棚板の右裏面の拡大斜視図である。
【図１６】本考案の第３の実施の形態における棚板の部分拡大斜視図である。
【図１７】本考案の第３の実施の形態における棚板の他の部分拡大斜視図である。
【考案を実施するための形態】
【００２０】
本考案の第１の実施の形態におけるスライドピン付き棚板（以下、単に「棚板」と言う。）を図１〜図４を参照して説明する。棚板１０は棚板本体１と、脚部材２と、ピン８とを有する。棚板本体１は、物品が載せられる横長のもので、本例では所定の厚みを有し、平面視が長方形のものである。棚板本体１の材質としては、特に制限されないが、天板、底板及び側板を有する箱体と、該箱体の中空部に充填された発泡体との一体物であるものが、軽量で且つ高い強度を有する点で好ましい。この場合、箱体は板金加工体であることが好ましい。特に、箱体の中に発泡原液を注入し、反応、硬化させたものが、発泡体と箱体が融着しており、一体物が得られる点で好ましい。
【００２１】
脚部材２は、棚板本体１の裏面に設置され、支持枠６の係止部７７に係止して、棚板本体部１を支えるものである。脚部材２は、本例では、長手方向に延びる横棒部２１と、係止部（鞘管）３４に回転自在に支持される長手方向に延びる端棒部２２と、横棒部２１と端棒部２２とを連結する連結部２３を有し、棚板本体１の裏面において長手方向に差渡し状で且つ端棒部２２の軸心を中心に回転自在に設置されるものである。すなわち、脚部材２は、直線状の延びる棒部材の一端に近い途中で屈曲させて連結部２３を形成し、更に屈曲させ、棒部材と平行に延ばして端棒部２２を形成させたクランク状であり、このクランク状を、直線状の延びる棒部材の他端に近い途中でも行ったものである。左右の端棒部２２は、本例では、棚板本体１の裏面に固定された長手方向の内側が開口の１対の鞘管３４に挿通されている。鞘管３４は、右側の支持金具においては、図３に示すように、第２支持体及び第３支持体に、開口を長手方向の内側に向けて固定されている。また、左側の支持金具においては、鞘管３４は、第１支持体と第２支持体に固定されている。横棒部２１は、支持枠６の係止突起７７に係止される。
【００２２】
ピン８は、図３に示すように、棚板本体１の裏面の長手方向の少なくとも一端部、本例では、右側の支持金具において長手方向にスライド自在に支持されるものである。すなわち、ピン８は、棚板本体１の裏面から下方に延びる支持体に形成された長手方向に貫通する貫通孔に挿通され、支持されている。また、ピン８は、長手方向における外側にバネ力により押されて設置されている。
【００２３】
右側の支持金具において、本例では、図３に示すように、棚板本体１の裏面から下方に延びる棚板本体１の端から第１支持体３１、第２支持体３２及び第３支持体３３がそれぞれ所定の間隔で配設されており、第１支持体３１、第２支持体３２及び第３支持体３３の対応する位置には、それぞれ貫通孔３１３、３２３、３３３が形成されており、ピン８はこの貫通孔３１３、３２３、３３３に、スライド自在に通されている。第１支持体３１、第２支持体３２及び第３支持体３３はそれぞれ、薄板金具であり、棚板本体１の前後方向（短手方向）に所定の長さで延びている。また、第１支持体３１と第２支持体３２は、上端が連結部で連結されてコ字形状断面の金具となっている。
【００２４】
ピン８は、棒状のピン本体部とピン本体部の長さ方向の途中のストッパーである突起４とを有し、突起４は、第２支持体３２３と第３支持体３３３間に位置し、第３支持体３３３と突起４間にコイルバネであるバネ部材５を介在させている。これにより、ピン８は常時、長手方向における外側にバネ力により押されており、第１支持体３１３から外側に長さ（Ｌ）分、突出している。この突出部８１の全部又は一部は、支持枠６の支柱６１に形成された係止孔６６に強く係止している。また、ピン８は、棚板本体１を陳列面の傾斜が少なくとも０〜９０度の範囲において、回転自在に支持することができる。
【００２５】
ピン８に形成された突起４は、本例では、第２支持体３２に当接する第１突起４１と第１突起４１から長手方向の内側に長さ（Ｌ）離れた第２突起４２とを有する。また、第１突起４１と第２突起４２は、接続されており、略Ｕ字形状となっている。これにより、突起４は、把持し易い。また、突起４を長手方向の内側にスライド移動させると、第２突起４２が第３支持体３３に当接して、それ以上のスライド移動を阻止するストッパーとなる。これにより、ピン８の先端が第１支持体３１から外れることがなくなる。また、ピン８を長手方向の内側にスライド移動させることで、ピン８の先端が引っ込むため、支柱６１の係止を簡単に解除することができる。
【００２６】
棚板本体１の裏面の長手方向の他の端部（本例では左端部の支持金具）は、棚板本体１の右端部の支持金具とは、異なる。すなわち、本例では、図４に示すように、棚板本体１の裏面から下方に延びる棚板本体１の他の端から第１支持体３１ａ及び第２支持体３２ａが所定の間隔で配設されており、第１支持体３１ａ及び第２支持体３２ａの対応する位置には、それぞれ貫通孔が形成されており、頭部を有する固定ピン８ａがこの貫通孔に通されており、頭部が、第２支持体３２ａに固着されている。すなわち、固定ピン８ａは、第２支持体３２ａに固定されたものである。また、固定ピン８ａの先端部は第１支持体３１ａから外側へ突出して突出部８１ａを形成している。なお、脚部材２において、端部材２２が鞘管３４に挿通されるのは、棚板本体１の右側のものと同様であり、説明を省略する。なお、棚板本体１の裏面の長手方向の他の端部（左端部）の支持金具構造は、図４のものに限定されず、図３と同じものであってもよい。すなわち、棚板本体１の裏面の両端部に、１対のスライド自在のピン８を設けてもよい。
【００２７】
次に、本考案の実施の形態における物品陳列什器を図５〜図１４を参照して説明する。物品陳列什器２０は、棚板１０と棚板１０を支持する支持枠６を有する。支持枠６は、例えば、図６の右側に示すものであり、基部６３から起立する両側の一対の支柱（側支柱）６１、６１と、支柱６１、６１を連結する上横棧部材６２を有するものである。一対の支柱６１、６１間の外寸法は、棚板１０の長さ寸法であり、一対の支柱６１、６１間の内寸法は、左右の第１支持体３１、３１間の長さである。支柱６１は四角形断面形状であり、その内側の面には、上下方向に所定のピッチで多数の係止孔６６が形成されている。係止孔６６には、棚板１０のピン８の先端部が嵌る。これにより、一対の支柱６１、６１間に、棚板１０を差渡し状で設置でき、また、上下方向における棚板１０の設置位置が決まる。
【００２８】
また、支持枠６の支柱６１の更に内側には、後ろ支柱７、７が形成されている。後ろ支柱７は、本例では、四角形断面形状であり、その正面側の面には、上下方向に所定のピッチで多数の係止突起７７が形成されている。係止突起７７には、棚板１０の脚部材２の横棒部２１が係止する。これにより、棚板１０の陳列面の傾斜角度を任意に変えることができる。
【００２９】
次に、棚板１０を支持枠６の最上部に設置する方法について、図７〜図１２を参照して説明する。先ず、棚板１０の左側の固定ピン８ａの先端を左側の支柱６１の係止孔６６に係止させる（図８及び図９）。この際、棚板１０の右側のピン８は、図３に示すように、バネ力により、ピン８の先端が第１支持体３１の外側に突出している。次に、ストッパーである突起４を棚板１０の長手方向の内側に、バネ力に抗して引き、ピン８の先端を引っ込める（図１０）。次いで、右側の支柱６の最上部の係止孔６６に対してピン８の先端を対応させ、突起４から手を離す。これにより、ピン８は支柱６の係止孔６６に係止することになる（図１１）。なお、図７〜図１１中、脚部材２は、棚板本体１の裏面に張り付いた状態を維持しているが、これは手でその状態を保持しているものであり、手を離せば、脚部材２は、重力により垂れ下がる（図１４（Ａ））。なお、棚板本体１の裏面に、脚部材２を張り付け状態に仮止めするため、係止具を取り付けてもよい。
【００３０】
次いで、脚部材２を後ろ支柱７の係止突起７７に係止する。係止位置は、棚板１０の陳列面を傾斜姿勢とする位置で決定され、本例では、陳列面が水平となる位置で決定される（図１２）。また、棚板１の陳列面の傾斜角度を急角度とするには、後ろ支柱７の係止突起７７を、より下方のものとすればよい（図１４）。
【００３１】
次に、図２のように支持枠６の最上部に、陳列面が水平姿勢となるように設置された棚板１０を外す場合を説明する。支持枠６から棚板１０を外す場合、棚板１０を支持枠６に取り付ける方法とは、逆の順序で行なえばよい。先ず、棚板１０の前端を上方に少し回転させ、後ろ支柱７に係止する脚部材２の係止を外す。次に、棚板１０の右側のピン８を取り外す。すなわち、突起４を棚板１０の長手方向の内側にバネ力に抗して移動させる。これにより、ピン８の先端部が側支柱６１の係止孔６６から外れる。次に、棚板１０の右部を手前やや下方に引きつつ右外側へ移動させることで、左側の固定ピン８ａが、左側の側支柱６１の係止孔６６から外れる。これにより、支柱枠６から棚板１０が外される。
【００３２】
次に、棚板１０の左側の支持金具において、固定ピン８ａではなく、右側の支持金具と同様のピン８とした場合の棚板１０の取り付け方法及び取り外し方法について説明する。先ず、棚板１０を支柱６１に取り付ける場合について説明する。左側のピン８を左側の支持枠６の支柱６１の係止孔６６に嵌め込む際、左側の突起４を棚板１０の長手方向の内側にスライドさせ、ピン８の先端を引っ込める。次いで、左側のピン８と左側の支柱６１の係止孔６６と対応させ、突起４から手を離す。ピン８はバネ部材５のバネ力により、棚板１０の長手方向の外側へスライド移動して、左側のピン８の先端部は左側の支柱６の係止孔６６に嵌る。次いで、棚板１０の右側のピン８を右側の支柱６の係止孔６６に嵌め込む。この方法は、前記実施の形態例と同様であり、その説明を省略する。なお、取り付けられた棚板１０を支柱６１から取り外す場合、前記実施の形態例と同様である。すなわち、支柱６１から棚板１０を取り外す場合、右側の支持金具のピン８を最初に外した後の取り外し方法は、左側のピンが固定ピン８ａであるか、ピン８であるかを問わず、同じである。
【００３３】
本考案において、物品としては、商品、展示物、貸出し物及び置物などが挙げられる。従って、物品陳列什器において、陳列とは単に「物品」を載せることも含む広い意味である。物品陳列什器としては、商品陳列什器、図書陳列什器及び物品載置什器などが挙げられる。本例の棚板１０及びこれを用いた物品陳列什器２０によれば、棚板の取り外しが容易で且つ上下方向における棚板の設置位置を自由に変更でき、加えて、陳列面の傾斜姿勢を何段階にも変えることができる。特に、芯材として発泡体が充填された棚板であれば、軽量であっても高い強度を有し、本願の支持構造に適し、効果が顕著に表れる。
【００３４】
次に、第２の実施の形態における棚板について、図１５を参照して説明する。すなわち、図１５の棚板１０ａにおいて、図１〜図１４の棚板１０と異なる点は、脚部材２を支持する支持金具及びピン８’を支持する支持金具である。すなわち、図１５の棚板１０ａにおいて、棚板本体１から下方に延びる第１’支持体３１１と、第１’支持体３１１より棚板１０の長手方向の内側に所定の距離、離れて設置される棚板本体１から下方に延びる第２’支持体３１２を有する。第１’支持体３１１及び第２’支持体３１２は、共に、所定の厚みを有する板状体であり、棚板本体１の前後方向（短手方向）に所定の長さで延びている。第１’支持体３１１の厚みは、第２’支持体３１２の厚みより大である。また、第１’支持体３１１には、ピン８が嵌る貫通孔３１３’及び貫通孔３１３’よりも短手方向の内側に脚部材２の先端部が挿通する貫通孔３４３が形成されている。また、第２’支持体３１２には、貫通孔３１３’に対応する位置に貫通孔３２３’が形成されている。貫通孔３４３には、脚部材２の端棒部２２が挿通される。また、通孔３１３’及び貫通孔３２３’には、ピン８が挿通される。また、ピン８’は、棒状のピン本体部とピン本体部の長さ方向の途中のストッパーである突起４’とを有し、突起４’は、第１’支持体３１１と第２’支持体３１２間に位置し、第２’支持体３１２と突起４’間にコイルバネであるバネ部材５を介在させている。第２の実施の形態の棚板１０ａは、第１の実施の形態の棚板１０と同様の作用効果を奏する。
【００３５】
次に、第３の実施の形態における棚板について、図１６及び図１７を参照して説明する。すなわち、図１６及び図１７の棚板１０ｂにおいて、図１〜図１４の棚板１０と異なる点は、第１の実施の形態の棚板ピン８にピンのロック機能を付与した点である。すなわち、棚板１０ｂは、第２支持体３２と第３支持体３３間にピン８及びバネ部材５を覆う一部が切り欠かれた円筒状のカバー部材９を付設したものである。カバー部材９は、ピン８の軸芯方向の全長で且つ円周方向の一部を切り欠いた第１切り欠き部９２と、カバー部材９の第２支持体３２側の端部で且つ第１切り欠き部９２から連続する円周方向の一部を切り欠いた第２切り欠き部９１である。第１切り欠き部９２の円周方向長さは、ピン８の第１突起４１の太さよりやや大である。これにより、突起４の長手方向へのスライドが自在となる。また、第２切り欠き部９１は、第１突起４１が係止するものであり、第２切り欠き部９１の円周方向長さは、ピン８の第１突起４１の太さ程度である。
【００３６】
次に、ピンのロック及びロック解除について説明する。図６は、支柱６１は示されていないが、支柱６１の係止孔６６にピン８の先端８１が差し込まれている状態である。この状態は、バネ部材５のバネ力により、突起４は第２支持体３２に押されており、ピン８は第１支持体３１から外側に常時、突出している。すなわち、支持枠６に棚板１０が設置された状態である。そして、ストッパーである突起４の第１突起４１は、第２切り欠き部９１に係止している。従って、突起４は、第２切り欠き部９１から外れない限り、棚板１０の長手方向の内側には移動せず、ロック状態である。次に、ロックを解除する場合、突起４を円周方向（ロック解除方向）に回転させ、突起４と第２切り欠き部９１の係止を解除し、突起４を、第１切り欠き部９２内に位置させる。次いで、突起４を棚板１０の長手方向の内側に、バネ力に抗して移動させ、ピン８を引っ込めると、支柱６１とピン８の係止も解除される。第３の実施の形態の棚板１０ｂは、ピンロック機能を有する他、第１の実施の形態の棚板１０と同様の作用効果を奏する。
【００３７】
本考案は、上記実施の形態例に限定されず、種々の変形を採ることができる。例えば、図２〜４の脚部材は、横棒部と連結部、端棒部と連結部は、直角に連結しているが、これに限定されず、横棒部と連結部の連結角度は如何なるものであってもよい。また、ピン８のストッパーである突起の形状としては、図３の突起４に限定されず、棒状の本体から外側に突出する、第１突起４のみのような単なる起立状の突起であってもよい。また、ピンや鞘管を支持する支持金具は、図３や図１５のものに限定されず、例えば、図３の第１支持体３１と第２支持体３２が分離した独立の金具であってもよい。また、図３において、ピンを支持する支持体と鞘管を支持する支持体は分離した独立の金具であってもよい。
【産業上の利用可能性】
【００３８】
本考案によれば、棚板の取り外しが容易で且つ上下方向における棚板の設置位置を自由に変更でき、加えて、陳列面の傾斜を何段階に変えることのでき、陳列の模様替えが自由にでき、陳列の演出を高めることができる。
【符号の説明】
【００３９】
１    棚板本体
２    脚部材
３    支持金具
４    突起
５    バネ部材
６    支持枠
８    ピン
８ａ  固定ピン
１０、１０ａ、１０ｂ    棚板
２０    物品陳列什器
２１    横棒部
２２  端棒部
２３  連結部
３１    第１支持体
３２    第２支持体
３３    第３支持体
３４    鞘管
３１３、３２３、３３３      貫通孔
７７  係止部
【図１】
0003204977.tif 000003
【図２】
0003204977.tif 000004
【図３】
0003204977.tif 000005
【図４】
0003204977.tif 000006
【図５】
0003204977.tif 000007
【図６】
0003204977.tif 000008
【図７】
0003204977.tif 000009
【図８】
0003204977.tif 000010
【図９】
0003204977.tif 000011
【図１０】
0003204977.tif 000012
【図１１】
0003204977.tif 000013
【図１２】
0003204977.tif 000014
【図１３】
0003204977.tif 000015
【図１４】
0003204977.tif 000016
【図１５】
0003204977.tif 000017
【図１６】
0003204977.tif 000018
【図１７】
0003204977.tif 000019
【手続補正書】
【提出日】平成28年4月27日(2016.4.27)
【手続補正１】
【補正対象書類名】実用新案登録請求の範囲
【補正対象項目名】請求項５
【補正方法】変更
【補正の内容】
【請求項５】
該突起は、該第２支持体に当接する第１突起と該第１突起から長手方向の内側に長さ（Ｌ）離れた第２突起とを有することを特徴とする請求項３記載の棚板。